(57)【要約】【課題】  「同期モード」、「非同期モード」と２つのモードを持った放射線センサで撮影を行う際の操作性を向上させる。【解決手段】  コンソール装置１３０の撮影制御部１３２は、同期モードでは検査画面の撮影情報が指定されることに応じて放射線撮影装置１００に準備駆動を実行させるべく、通信回路１３２１に遷移信号を送信させる。非同期モードでは検査画面が表示されたことに応じて放射線撮影装置１００に準備駆動を実行させるべく、通信回路１３２１に遷移信号を送信させる。【選択図】  図１
2014195587.tif 000002
【特許請求の範囲】
【請求項１】
放射線センサと放射線の照射を検知する検知回路とを有する放射線撮影装置による放射線撮影を制御する制御装置であって、
放射線発生装置からの信号に応じて放射線撮影装置の撮影動作が制御される第一のモードと、放射線が照射されたことの検知に応じて撮影動作が制御される第二のモードとのいずれかを選択する選択手段と、
少なくとも１つの撮影情報と、該撮影情報に対応する放射線撮影装置から受信する放射線画像データと、を表示させるための表示画面を表示部に表示させる表示制御手段と、
前記第一のモードが選択された場合には、前記表示された撮影情報の１つが指定されることに応じて前記放射線センサに電荷の出力を定期的に繰り返す初期化動作を実行させるための信号を送信し、前記第二のモードが選択された場合には、前記表示画面が表示されることに応じて前記放射線センサに放射線の照射を検知するための駆動を開始させるための信号を送信する通信回路と、
を有することを特徴とする制御装置。
【請求項２】
前記通信回路は、前記第二のモードが選択された場合には、前記表示された撮影情報の１つが指定されることに応じて前記検知回路による放射線が検知されたか否かの判定処理を開始することを特徴とする請求項１に記載の制御装置。
【請求項３】
前記通信回路は、前記第二のモードが選択された場合には、前記表示画面が表示されることに応じて前記検知回路に動作電力を供給するための信号を送信することを特徴とする請求項１または２に記載の制御装置。
【請求項４】
前記表示制御手段は、前記表示画面に、特定の操作入力に応じた時点から所定の時間が経過した後に前記放射線撮影装置に撮影動作を開始させる第三のモードを選択するためのボタンを表示させることを特徴とする請求項１乃至３のいずれか１項に記載の制御装置。
【請求項５】
前記表示制御手段は、前記第一のモードが選択された場合には前記第三のモードを選択するためのボタンを表示させず、前記第二のモードが選択された場合には該ボタンを表示させることを特徴とする請求項４に記載の制御装置。
【請求項６】
前記通信回路は、前記第三のモードが選択された場合には、撮影動作を開始させる指示の入力に応じて前記放射線撮影装置に対して前記所定期間待機した後撮影動作を開始させるための信号を送信することを特徴とする請求項５に記載の制御装置。
【請求項７】
前記表示制御手段は、前記選択されたモードを示す表示を表示部に表示させることを特徴とする請求項１乃至６のいずれか１項に記載の制御装置。
【請求項８】
前記表示制御手段は、前記制御装置に登録されている放射線撮影装置について、前記第一、第二のモードのいずれのモードが実行可能であるかを表示させることを特徴とする請求項１乃至７のいずれか１項に記載の制御装置。
【請求項９】
前記表示制御手段は、前記制御装置に登録されている放射線撮影装置及び放射線発生装置の組み合わせについて前記第一、第二のいずれのモードが実行可能であるかを表示させることを特徴とする請求項１乃至８のいずれか１項に記載の制御装置。
【請求項１０】
前記表示制御手段は、前記制御装置に登録されている放射線撮影装置について、前記第一、第二のモードのいずれのモードが実行可能であるかを一覧表示するためのその他の表示画面を表示部に表示させ、
前記選択手段は、前記複数の放射線撮影装置についていずれのモードで動作させるかを操作部からの操作入力に応じて選択することを特徴とする請求項１乃至９のいずれか１項に記載の制御装置。
【請求項１１】
前記表示制御手段は、前記制御装置に登録されている放射線撮影装置及び放射線発生装置の組み合わせについて前記第一または第二のモードのいずれのモードが実行可能であるかを一覧表示するためのその他の表示画面を表示部に表示させ、
前記選択手段は、前記組み合わせについていずれのモードで動作させるかを操作部からの前記その他の表示画面に対する操作入力に応じて選択することを特徴とする請求項１乃至１０のいずれか１項に記載の制御装置。
【請求項１２】
前記表示制御手段は、前記その他の表示画面において選択されたモードを示す表示を前記表示画面に表示させることを特徴とする請求項１０または１１に記載の制御装置。
【請求項１３】
前記選択手段は、前記その他の表示画面において選択されたモードが第二のモードである場合に、前記その他の表示画面に対する操作入力に応じて、特定の操作入力に応じた時点から所定の時間が経過した後に前記放射線撮影装置に撮影動作を開始させる第三のモードに撮影モードを変更することを特徴とする請求項１２に記載の制御装置。
【請求項１４】
前記放射線撮影装置と前記放射線発生装置との通信状態を判定する判定手段を更に有し、
前記選択手段は、前記判定の結果に応じてモードを選択することを特徴とする請求項１乃至１３のいずれか１項に記載の制御装置。
【請求項１５】
前記制御装置は、前記第一のモードが選択されている場合には前記放射線撮影装置で特定の補正処理が行われていない第一の放射線画像データを表示した後に前記特定の補正処理が行われた第二の放射線画像データを表示させ、前記第二のモードが選択されている場合には前記第一の放射線画像データを表示せずに前記第二の放射線画像データを表示させることを特徴とする請求項１乃至１４のいずれか１項に記載の制御装置。
【請求項１６】
前記通信回路は、前記放射線センサに電荷の出力を定期的に繰り返す初期化動作を実行させるための信号、及び、前記表示画面が表示されることに応じて前記放射線センサに放射線の照射を検知するための駆動を開始させるための信号として、撮影準備状態に遷移すべきことを示す信号を送信することを特徴とする請求項１乃至１５のいずれか１項に記載の制御装置。
【請求項１７】
放射線センサと通信回路と該放射線センサの制御部とを有する放射線撮影装置による放射線撮影を制御する制御装置であって、
放射線照射と放射線撮影装置の撮影動作を同期させるための通信を放射線撮装置と放射線発生装置とが行う第一のモードと、放射線発生装置と放射線撮影装置とが同期のための通信をせず放射線撮影装置の撮影動作は所定の指示に応じて行われる第二のモードとのいずれかを選択する選択手段と、
前記選択された撮影モードに応じて前記放射線撮影装置に信号を送信する通信回路と、
前記選択された撮影モードの情報と、前記選択された撮影モードに対応する撮影情報と、前記選択された撮影モードに応じて放射線撮影装置により得られる放射線画像データを表示するための表示領域と、を表示させるための表示画面を表示部に表示させる表示制御手段と、
を有することを特徴とする制御装置。
【請求項１８】
請求項１乃至１７のいずれか１項に記載の制御装置と、
前記放射線撮影装置を有し、
前記放射線撮影装置は、
前記制御装置からの信号を受信する通信回路と、
前記放射線センサ、前記検知回路、及び前記検知回路と接続する電源と、
前記受信した信号に応じて、前記第一のモードが選択された場合には前記放射線センサに電荷の出力を定期的に繰り返す初期化動作を前記放射線センサに実行させ、前記第二のモードが選択された場合には、前記放射線センサに放射線の照射を検知するため駆動を開始させる制御部と、を有する
ことを特徴とする放射線撮影システム。
【請求項１９】
放射線発生装置を更に有することを特徴とする請求項１８に記載の放射線撮影システム。
【請求項２０】
放射線センサと放射線の照射を検知する検知回路とを有する放射線撮影装置による放射線撮影を制御する制御方法であって、
放射線発生装置からの信号に応じて放射線撮影装置の撮影動作が制御される第一のモードと、放射線が照射されたことの検知に応じて撮影動作が制御される第二のモードとのいずれかを選択するステップと、
少なくとも１つの撮影情報と、該撮影情報に対応する放射線撮影装置から受信する放射線画像データと、を表示させるための表示画面を表示部に表示させるステップと、
前記第一のモードが選択された場合には、前記表示された撮影情報の１つが指定されることに応じて前記放射線センサに電荷の出力を定期的に繰り返す初期化動作を実行させるための信号を通信回路により送信させ、前記第二のモードが選択された場合には、前記表示画面が表示されることに応じて前記放射線センサに放射線の照射を検知するため駆動を開始させるための信号を通信回路により送信させるステップと、
を有することを特徴とする制御方法。
【請求項２１】
放射線センサと通信回路と該放射線センサの制御部とを有する放射線撮影装置による放射線撮影を制御する制御方法であって、
放射線照射と放射線撮影装置の撮影動作を同期させるための通信を放射線撮装置と放射線発生装置とが行う第一のモードと、放射線発生装置と放射線撮影装置とが同期のための通信をせず放射線撮影装置の撮影動作は所定の指示に応じて行われる第二のモードとのいずれかを選択するステップと、
前記選択された撮影モードに応じて前記放射線撮影装置に信号を出力するステップと、
前記選択された撮影モードの情報と、前記選択された撮影モードに対応する撮影情報と、前記選択された撮影モードに応じて放射線撮影装置により得られる放射線画像データを表示するための表示領域と、を表示させるための表示画面を表示部に表示させるステップと、
を有することを特徴とする制御方法。
【請求項２２】
請求項２０または２１に記載の制御方法をコンピュータに実行させるための命令を含むプログラム。
【発明の詳細な説明】
【技術分野】
【０００１】
本開示は放射線撮影の制御装置、放射線撮影システム、制御方法、及びプログラムに関する。
【背景技術】
【０００２】
蛍光体と大画面用の固体撮像素子とを密着させて形成された放射線センサを用い、放射線像を直接デジタル化し画像を生成する放射線撮影装置が実用化されてきている。このようなデジタル方式を採用した放射線撮影装置は、従来のアナログ方式の装置に置き換わって広く使われてきている。
【０００３】
デジタル方式を採用した放射線撮影装置では、対象物を透過した放射線を放射線センサで受光し、放射線センサ内のシンチレータにおいて放射線が可視光に変換される。固体撮像素子により変換された可視光を電気信号として検出する。
特許文献１に記載の放射線撮影装置では、固体撮像素子により放射線の照射開始を検知して固体撮像素子を動作させることが開示されている。特許文献２に開示されている放射線撮影システムでは、放射線発生装置と放射線撮影装置で同期を行い、撮影前に放射線照射前に撮像素子に蓄積した無効電荷を除去する。
【先行技術文献】
【特許文献】
【０００４】
【特許文献１】特開２００３−１２６０７２
【特許文献２】特開平１１−１５１２３３
【発明の概要】
【発明が解決しようとする課題】
【０００５】
発生装置からの信号に同期して撮影動作を行う撮影モードと、放射線撮影装置側で放射線の発生を検知して撮影動作を行う撮影モードとで、放射線撮影装置側の動作が異なるため、これに対応する操作者の操作が煩雑になる恐れがある。
【課題を解決するための手段】
【０００６】
そこで本発明の実施形態に係る制御装置は、放射線センサと放射線の照射を検知する検知回路とを有する放射線撮影装置による放射線撮影を制御する制御装置であって、
放射線発生装置からの信号に応じて放射線撮影装置の撮影動作が制御される第一のモードと、放射線が照射されたことの検知に応じて撮影動作が制御される第二のモードとのいずれかを選択する選択手段と、少なくとも１つの撮影情報と、該撮影情報に対応する放射線撮影装置から受信する放射線画像データと、を表示させるための表示画面を表示部に表示させる表示制御手段と、前記第一のモードが選択された場合には、前記表示された撮影情報の１つが指定されることに応じて前記放射線センサに電荷の出力を定期的に繰り返す初期化動作を実行させるための信号を送信し、前記第二のモードが選択された場合には、前記表示画面が表示されることに応じて前記放射線センサに放射線の照射を検知するための駆動を開始させるための信号を送信する通信回路と、を有することを特徴とする。
【発明の効果】
【０００７】
これにより異なる複数の撮影モードについての放射線撮影を行う上での操作負担を軽減し効率的な放射線撮影を実現することができる。
【図面の簡単な説明】
【０００８】
【図１】本発明の実施形態に係る放射線撮影システムの構成を示す図である。
【図２】実施形態に係る放射線撮影装置の構成を示す図である。
【図３】実施形態に係る放射線センサの光電変換素子の例を示す図である。
【図４】実施形態に係る放射線センサを構成する光電変換素子のバンドダイアグラムの一例を示す図である。
【図５】実施形態に係る放射線撮影システムの動作の一例を示すフローチャートである。
【図６】実施形態に係る放射線撮影システムの動作の一例を示すフローチャートである。
【図７】撮影モードの選択をするための表示画面の表示の一例を示す図である。
【図８】被検者情報を入力するための表示画面の一例を示す図である。
【図９】放射線撮影のための表示画面の一例を示す図である。
【図１０】放射線撮影のための表示画面のその他の例を示す図である。
【図１１】放射線撮影のための表示画面のその他の例を示す図である。
【図１２】放射線撮影のための表示画面のその他の例を示す図である。
【図１３】放射線撮影装置の動作を示すタイミングチャートである。
【図１４】実施形態に係る放射線撮影システムのその他の構成を示す図である。
【図１５】その他の構成に係る放射線撮影システムの動作の一例を示すフローチャートである。
【図１６】放射線撮影のための表示画面の一例を示す図である。
【図１７】放射線撮影のための表示画面のその他の例を示す図である。
【図１８】放射線撮影のための表示画面のその他の例を示す図である。
【図１９】放射線撮影のための表示画面のその他の例を示す図である。
【図２０】その他の構成に係る放射線撮影システムの動作を示すタイミングチャートである。
【図２１】その他の構成に係る放射線撮影システムの動作の一例を示すフローチャートである。
【図２２】図２２（ａ）は手動同期の設定のための画面表示の一例を示す図であるり、図２２（ｂ）は手動同期の表示の一例を示す図であり、図２２（ｃ）は手動同期の表示のその他の例を示す図である。
【図２３】その他の構成に係る放射線撮影システムの動作を示すタイミングチャートである。
【図２４】実施形態に係る放射線撮影システムの動作の一例を示すフローチャートである。
【図２５】実施形態に係る放射線撮影システムを構成する装置の例を示す図である。
【図２６】実施形態に係る放射線撮影装置及び制御装置のハードウェア構成例を示す図である。
【発明を実施するための形態】
【０００９】
以下、図面を参照しながら本発明を実施するための形態について説明する。なお、以下に示す実施形態では、粒子線及び電磁放射線を含んだ放射線を用いた場合について説明する。ここでは、粒子線の例としては、α線、β線、中性子線などが挙げられる。また、電磁放射線としては、γ線、Ｘ線などが挙げられる。但し、通常の単純撮影ではＸ線が用いられており、以下の実施形態では、Ｘ線のみを用いた撮影装置も含むものとする。
【００１０】
実施形態に係る放射線撮影システムは、放射線撮影装置とこれを制御する（撮影）制御装置を有する。放射線撮影装置は第一のモード（同期モード）と第二のモード（非同期モード）を有する。同期モードでは放射線発生装置からの信号に応じて放射線撮影装置の撮影動作が制御される。制御装置が同期モードを選択すると、放射線照射と放射線撮影装置の撮影動作を同期させるための通信を放射線撮装置と放射線発生装置とが行い高画質な撮影を行うことができる。非同期モードでは、放射線が照射されたことの検知に応じて撮影動作が制御される。制御装置が非同期モードを選択すると放射線撮影装置の検知回路は放射線が照射されたことを検知するため、同期信号線の接続が不要となり、より簡便な撮影システム構築ができる。以上２つの撮影モードを有することにより、操作者の作業自由度を高めることができる。
【００１１】
表示部に表示される表示画面を操作することにより、各撮影モードが実行されるが、操作の流れが撮影モードによらず同様となっている。表示内容の変化に応じて各撮影モードに対応する制御信号を各撮影モードに対応するタイミングで制御装置が放射線撮影装置に送信される。これにより、操作者はモードに関係なく同様の操作性を得ることができ、システムの操作効率を向上させることができる。またいずれの撮影モードで動作するかを示す表示が制御装置により表示部に表示される。
【００１２】
撮影モードは放射線撮影装置に対して、あるいは放射線撮影装置と放射線発生装置との組み合わせに対して撮影前に制御装置または放射線撮影装置あるいは放射線発生装置により選択され、設定パラメータとして格納される。また登録した設定パラメータを撮影前に読み込み選択された撮影モードで動作する。これにより、複数の放射線撮影装置、複数の放射線発生装置からなる撮影システムであっても、簡便に撮影条件設定を行うことができる。
【００１３】
図１に基づき本発明の実施形態に係る放射線撮影システムの構成例を説明する。実施形態に係る放射線撮影システムは、放射線撮影装置１００と、放射線発生装置１２０と、放射線発生装置１２０と放射線撮影装置１００間の同期通信回線１２５と、コンソール装置１３０を備えている。放射線撮影は、被写体を放射線発生装置１２０と放射線撮影装置１００の間に配置し、被写体を透過した放射線１０５を放射線撮影装置１００で受像することにより行う。
【００１４】
放射線撮影装置１００は、放射線センサ１０１、検知回路、放射線センサ制御部１０２、センサ側通信回路１０２１を具備している。放射線センサ１０１は放射線を可視光に変換する蛍光体を有するとともに、可視光を受光することに応じて信号を得る光電変換素子を含む画素が行列状に複数配置されており、放射線を受けて電荷を蓄積する。これに限らずａ−Ｓｅなどの材料からなり放射線を受光して電荷を生成する素子であっても良い。放射線センサ１０１はこの複数の画素により放射線像を検出する。また放射線制御部１０２の指示により光電変換素子に蓄積した無効電荷を出力する。
【００１５】
検知回路は放射線撮影装置１００に放射線が照射されたこと検知する。これには、放射線センサ１０１を流れる電流や画像信号を測定する測定回路により実現される。あるいは放射線センサ１０１とは別の独立した検知用のセンサを放射線撮影装置１００内に配置することとしてもよい。この検知回路により放射線が照射されたことの検知に応じて撮影動作が制御される第二のモード（非同期モード）が実現される。
【００１６】
放射線センサ制御部１０２は、放射線センサ１０１に対して受像開始を指示する。また、放射線センサ１０１に対して無効電荷を出力する駆動を指示する。センサ側通信回路１０２１は放射線発生装置１２０と放射線撮影装置１００間の同期信号を授受する。また、放射線受光部で受像した画像データをコンソール装置１３０へ送信する。また、コンソール装置１３０と放射線撮影装置１００が通信接続した際に、撮影モード（同期モード・非同期モード）の情報を含む信号をコンソール装置から受信する。受信した撮影モードの情報を放射線センサ制御部１０２はメモリに格納する。放射線センサ制御部１０２は放射線センサＩＤを保持し、通信回路１０２１にコンソール装置１３０の撮影制御部１３２へ送信する。なお図１に示す構成例では放射線センサＩＤをαとする。
【００１７】
次に、放射線発生装置１２０について説明する。図１において放射線発生装置１２０は、放射線管１２１、放射線制御部１２２、曝射スイッチ１２３を具備している。
【００１８】
放射線管１２１は放射線制御部１２２の指示により放射線を発生する。
【００１９】
放射線制御部１２２は、撮影制御部１３２から送信された制御信号（管電圧、撮影時間等）を授受し放射線管の動作パラメータとして設定する。また放射線撮影装置１００との撮影同期制御信号を授受し放射線撮影装置と同期する。また曝射スイッチ１２３の押下信号授受で放射線の発生開始を制御する。また放射線発生装置ＩＤを保持し、これを撮影制御部１３２へ送信する。曝射スイッチ１２３は、操作者の曝射スイッチ１２３の押下状態を放射線制御部１２２へ送信する。なお図１に示す構成例では放射線発生装置ＩＤをＡとする。
【００２０】
同期通信回線１２５は、放射線発生装置１２０の放射線制御部１２２と放射線撮影装置１００の放射線センサ制御部１０２との間で同期通信を行うための信号伝送路である。この通信線は有線である必要はなく無線で行ってもよい。この同期通信回線１２５により、放射線撮影装置１００と放射線発生装置１２０とが通信する第一のモード（同期モード）が実現される。
【００２１】
次に、コンソール装置１３０あるいは（撮影）制御装置について説明する。図１においてコンソール装置１３０は、入力部１３１、撮影制御部１３２、画像表示部１３３、記憶部１３４を具備し、放射線撮影装置１００による放射線撮影を制御する。
【００２２】
入力部１３１はたとえばキーボードやマウス、あるいは画像表示部１３３と一体的に構成されたタッチパネル式の操作部を有する。入力部１３１は操作者からの操作入力を受けて放射線撮影条件その他の各種設定情報、または画像表示部１３３に表示された表示画面上のボタン等を操作する操作入力を撮影制御部１３２に出力する。放射線撮影条件は、例えば管電圧、撮影時間、撮影モード（同期モード・非同期モードの選択）などを示す。
【００２３】
撮影制御部１３２は、主に画像表示部１３３の表示内容、表示の切り替えタイミングを制御する表示制御部と、入力部１３１からの入力を処理する入力制御部と、記憶部１３４とのデータの授受を制御する記憶制御部と、通信回路１３２１による通信を制御する通信制御部と、これらを統合的に制御する少なくとも１つのＣＰＵ（Ｃｅｎｔｒａｌ  Ｐｒｏｃｅｓｓｉｎｇ  Ｕｎｉｔ）とワークメモリとを有する。撮影制御部１３２は入力部１３１から入力された放射線撮影条件を記憶部１３４に格納する。通信回路１３２１は記憶部１３４に前記記録された設定を放射線制御部１２２及び放射線センサ制御部１０２に送信する。例えば入力部１３１からの操作入力を受けて撮影モードを選択し、この撮影モードを示す情報を含む信号を放射線撮影装置１００や放射線発生装置１２０に通信回路１３２１により送信する。また撮影制御部１３２は記憶部１３４に前記記録した設定を画像表示部１３３に表示させる。通信回路１３２１が受信した放射線撮影装置からの放射線画像データを撮影制御部１３２１は撮影された放射線画像データを記憶部１３４に記録させるとともに、画像表示部１３３に表示させる。
【００２４】
画像表示部１３３は、撮影制御部１３２からの制御に応じて受信した画像情報を表示する。画像情報とは、撮影された放射線画像データを表示するための表示領域や、放射線撮影条件、被検者情報、画像処理情報等の撮影情報、を表示する表示画面である検査画面（図９−１２、１６−１９、２２）や、これらの設定画面（図７−８）を示す。
【００２５】
ここで撮影制御部１３２は例えば入力部１３１からの操作入力等を受けて撮影モードを選択する選択部として機能する。撮影モードは上述の２つの撮影モードによらず３つ以上の撮影モードを有していてもよく、あるいは上述の撮影モードの一方と、上述の撮影モードとは異なる撮影モードとを有していて、その中から撮影モードを選択することとしてもよい。あるいは、非同期モードにおいては検知回路を用いなくてもよく、放射線発生装置と放射線撮影装置とが同期のための通信をせず放射線撮影装置の撮影動作は所定の指示に応じて行われる別の撮影モードとしてもよい。これの例については後述する。
【００２６】
通信回路１３２１は、第一のモードが選択された場合、画像表示部１３３に表示された撮影情報が入力部２１３１による操作入力で指定されることに応じて、放射線センサ１０１に電荷の出力を定期的に繰り返す初期化動作を実行させるための信号を送信する。例えば後述する撮影動作準備に遷移すべきことを示す信号がこれに該当する。また通信回路１３２１は、第二のモードが選択された場合には、画像表示部１３３に表示画面が表示されることに応じて放射線センサ１０１に放射線の照射を検知するための動作を開始させるための信号を送信する。後述する撮影動作準備に遷移すべきことを示す信号がこれに該当する。
【００２７】
このように、表示画面と同期して各モードに応じた制御信号を放射線撮影装置１００に送信することで操作性を向上させることができる。
【００２８】
放射線撮影装置１００では、コンソール装置１３０からの上述の信号に応じて、第一のモードが選択された場合には放射線センサ制御部１０２は放射線センサ１０１に電荷の出力を定期的に繰り返す初期化動作を放射線センサ１０１に実行させる。また第二のモードが選択された場合には、放射線センサ１０１に放射線の照射を検知するため駆動を開始させる。
【００２９】
以下では、放射線センサ１０１で放射線を受光し電気信号に変換する駆動方法について図２から図４を用いて説明する。
【００３０】
図２は放射線センサ１０１の放射線検出素子を示す構成図である。放射線検出素子は、光電変換部及び駆動回路からなる。放射線センサ１０１に内蔵した蛍光体（不図示）で放射線を光に変換した後、前記光電変換部で電気信号へ変換する。図２では４×４の画素をもつ光電変換部を示している。光電変換部は、１個の光電変換素子２７０３と１個のＴＦＴ２７０２を１画素とし、２次元に配列している。また、ＴＦＴのゲート電極に電圧を印加するゲート線２７０４、光電変換素子２７０３に電圧を印加するセンサバイアス線２７０６、ＴＦＴ２７０２を介して出力される電気信号を転送するための信号線２７０５を配置している。なお図中のＳ１１〜Ｓ４４は光電変換素子、Ｔ１１〜Ｔ４４はＴＦＴを示している。
【００３１】
光電変換素子２７０３は、光電効果により光を電気信号に変換する光電変換部と、発生した電荷を蓄積するコンデンサー部から構成される。本実施例で説明する光電変換素子の構造は光電変換部、コンデンサー部を同時に形成できる。
【００３２】
その他、バッテリ２７１４がセンサ電源２７０１、通信回路１０２１、検知回路を構成する電流計Ａに接続しており、放射線センサ制御部１０２の制御に応じてこれらの各部に動作電力を供給する。放射線撮影装置１００が外部から電力の供給を受ける場合には、バッテリ２７１４は外部電源からの電力を受け取る電源部により代替される。バッテリ２７１４を有することにより可搬性を向上させた放射線撮影装置とすることができる。
【００３３】
電流計Ａは、放射線の照射を検知する検知回路を構成する。電流計Ａは光電変換素子２７０３に印加されるバイアス電圧の供給線に接続されている。光電変換素子２７０３に放射線が照射されると光電変換素子２７０３に電荷が蓄積するが、これに対応して光電変換素子から供給線に電流が流れる。電流計Ａはこの電流を測定する。ここで、画素から電荷を吐き出す空読み駆動を実行すると、電荷の出力をしない場合に比べ供給線により多くの電流が流れるため、検知能を向上させることができる。空読み駆動を利用することで、ｍｓｅｃ以下の検知が可能である。
【００３４】
電流計Ａはこの測定値を放射線センサ制御部１０２に逐次デジタルデータとして出力し、このデジタルデータまたはこの積算値が所定の閾値を超えたか否かにより放射線の照射があったか否かを判定する。判定に応じて、ＳＲ２７１１や読み出し回路に撮影動作を開始するための信号が放射線センサ制御部１０２から送信される。この放射線センサ制御部１０２と電流計Ａにより検知回路が構成されることとなる。
【００３５】
この検知回路は第二のモード（非同期モード）において動作する回路であるため、第一のモード（同期モード）において不要なタイミングではバッテリ２７１４からの電力を供給しないよう放射線センサ制御部１０２により制御される。これにより消費電力を低減することができる。また第二のモード（非同期モード）では、撮影のための表示画面（図９）が画像表示部１３３に表示されることに応じて検知回路に対する動作電力の供給を開始するための信号を通信回路１３２１が送信する。これに応じて放射線センサ制御部１０２がバッテリ２７１４からの電力供給を制御する。例えば放射線センサ制御部１０２は消費電力の少ない消費電力モードで予め動作させておき、外部からの信号に応じて放射線の照射を検知するための動作が可能となるような十分な電力を供給することとする。このようにすることで、消費電力を低減しつつ、適切な動作が実行される。
【００３６】
なお、例えばここで、表示画面（図９）の表示されるタイミングでは電流計Ａに対する電力の供給を開始しつつ、放射線センサ制御部１０２での照射判定の処理は行わない状態としておくことができる。加えて例えば表示画面に表示された撮影情報のひとつが選択されることに応じて照射判定を開始することとすれば、放射線センサ制御部１０２での動作電力を低減することができる。
【００３７】
以下では、１画素分の層構成を示した図３を用いて、ＴＦＴ及び光電変換素子の形成方法について述べる。
【００３８】
ガラスなどの絶縁基板、もしくは少なくとも表面が電気的絶縁性をもつ基板２８０７上に、スパッター法や抵抗加熱法により約５００オングストロームのクロム薄膜を蒸着し、フォトリソグラフィーでパターニングし不必要な部分をエッチングで取り除く。このクロム薄膜はゲート電極層２８０５及び光電変換素子の下部電極層２８０８となる。次に、ＣＶＤ法により同一真空内で各層を順次堆積する。層には、絶縁層２８０４，２８０６となる約２０００オングストロームのａ-ＳｉＮｘ膜、光電変換素子の光電変換層２８１１及びＴＦＴのチャネル層２８０１となる約６０００オングストロームのａ-Ｓｉ膜、光電変換素子のホール注入阻止層２８１０及びＴＦＴのオーミックコンタクト層２８０３，２８１３となる約５００オングストロームのｎ＋ａ-Ｓｉ層がある。コンタクトホールとなる部分をリアクティブイオンエッチング法（ＲＩＥ）等でエッチングした後、アルミニウムをスパッター法や抵抗加熱法で約１００００オングストローム堆積する。光電変換素子に電圧を印加するセンサバイアス電極２８１５及び信号線２８１４をフォトリソグラフィー法およびエッチングにより形成する。さらに、フォトリソグラフィー法によりパターニングしＲＩＥによって余分な部分をエッチングし、ＴＦＴのソース電極２８０２、ドレイン電極２８１２を形成する。さらに不要なａ-Ｓｉ、ａ-ＳｉＮｘ、ｎ＋ａ-Ｓｉをエッチングにより取り除くことでＴＦＴと光電変換素子を分離する。なお、図３では１画素分のみ示したが、複数の画素が同時に形成されることは言うまでもない。最後に耐湿性を向上させるためａ-ＳｉＮｘなどを堆積し保護膜２８１３を形成する。この光電変換素子作成方法は、光電変換素子及びＴＦＴの主要な部分を同時に形成できる特徴がある。    
【００３９】
ＴＦＴと、光電変換素子を駆動するＩＣは単結晶半導体を用いて作られたＩＣを使用する。
【００４０】
図２に示す各画素のＴＦＴのゲート電極に電圧を与えるシフトレジスタ２７１１（ＳＲ）は制御信号によって、ゲート電極に印加する電圧を切替え、ＴＦＴのＯＮ／ＯＦＦを司る。センサバイアス線２７０６に接続されたセンサ電源２７０１は光電変換モード及びリフレッシュモードのための２つの電源Ｖｓ、Ｖｒｅｆからなる。電源Ｖｓの系には電流計Ａが接続されている。
【００４１】
信号線２７０５には、信号線リセットスイッチ２７０７とアンプ２７０８がそれぞれ接続されており、ＴＦＴから送られる電気信号を増幅する。アンプ２７０８の出力段にはサンプルホールド回路２７０９が接続されマルチプレキサ２７１０が読み出すまで、アンプの出力を保持する。
【００４２】
光電変換素子の画像読み取り動作は、１本のゲート線電位をＨｉにし、まず横１ラインのＴＦＴ（Ｔ１１〜Ｔ１４）をＯＮする。その後、マルチプレキサ２７１０でサンプルホールド回路２７０９の出力を順次読み出し、横１ラインの画像情報を得る。横１列全ての画素の情報を読み終えたら信号線２７０５をＧＮＤ電位にリセットし、ゲート線電圧をＬｏｗにしてＴＦＴをＯＦＦにする。全ラインについて以上の動作を順次行うことで光電変換素子が得た画像情報を電気信号として得ることができる。取得した画像情報は画像処理回路２７１３に転送され、その後放射線制御部１０２に接続された放射線撮影装置上のメモリ部（不図示）に確保される。
【００４３】
以上、４×４画素の場合について説明したが、画素数はこれによらない。
【００４４】
上記の光電変換方法を用いた場合、光電変換素子に流れる暗電流により無効な電荷が発生し、画像劣化が起こることがあった。そのため本実施例では以下３つの駆動を行う。
【００４５】
第１の駆動は、光電変換素子への電圧印加後、暗電流が小さくなるまで、光電変換素子に蓄積した電荷を吐き出すリフレッシュ駆動である。
【００４６】
第２の駆動は暗電流によって光電変換素子内に蓄積した電荷を吐き出すためＴＦＴのＯＮ／ＯＦＦを行う空読み駆動である。リフレッシュ動作終了直後、光電変換素子内部の深いトラップに電荷が捕獲され、それらが徐々に漏れ出して暗電流となってしまう。この電流を除去するためにリフレッシュ動作後に必ず空読み動作が必要となる。
【００４７】
第３の駆動はＴＦＴをＯＦＦしたままの状態を保持するＷａｉｔ駆動である。長時間ＴＦＴをＯＮ状態とすると発熱によりＴＦＴの長期信頼性が確保できないことがあった。そのため長時間にわたり初期化動作を行う場合は、ＴＦＴに通電しない時間を設けて、休止させる必要がある。これら３つの駆動を繰り返し実施することで、光電変換方法の信頼性を確保しつつ画質劣化を抑制することができる。
【００４８】
但し、短時間であればリフレッシュ駆動、空読み駆動これら２つの駆動を繰り返し実施するだけでもよい。Ｗａｉｔ駆動を行わないため、より短時間に暗電流除去の工程を実施することができる。例えば、本実施例では１０分程度であればＷａｉｔ駆動を行わなくても、ＴＦＴの劣化を気にせず使用することができる。
【００４９】
これは、図２で示したように単純マトリクス接続した光電変換方法を使用する場合に有効である。単純マトリクス接続した素子を駆動する場合、使用電源の最大負荷を低減するため線順次駆動が用いられる。しかし、線順次駆動を行った場合、全ての素子を駆動するためには、行数×（各行の駆動時間）が必要となる。
【００５０】
特にこれは、高画質撮影を行うため、放射線管と同期して撮影する放射線撮影システムで問題となる。放射線曝射直前に実施する暗電流成分除去に多くの時間がかかってしまうため、患者の呼吸動作に合わせた撮影などが困難となってしまう場合があった。
【００５１】
よって、高画質でかつ使い勝手を考慮した場合、Ｗａｉｔ駆動を行わない本駆動方法が有効な手段である。
【００５２】
またさらに、短時間であれば、リフレッシュ駆動を１度だけ実施した後、空読み駆動を繰り返す方法を採用してもよい。
【００５３】
リフレッシュ駆動、空読み駆動を繰り返す場合と比較し、光電変換素子のホール成分が不十分であるため画質は劣るが、駆動を１ステップにすることで、より短時間化することできる。
【００５４】
これら駆動方法は撮影により適宜選択される。
【００５５】
次に本実施例におけるリフレッシュ動作、空読み動作について光電変換素子のバンドダイアグラム図４を用いて説明する。    
【００５６】
まず、リフレッシュ動作について説明する。図４（ａ）は光電変換モードを示したものである。このとき、光電変換層での光電変換で発生した電子とホールは電界によって、ホールは絶縁層と光電変換層の界面へ、電子はホール注入阻止層へとドリフトすることで光電流が発生する。
【００５７】
しかし、図４（ｂ）に示すように、光があたりつづけると絶縁層と光電変換層の界面にホールが蓄積し、光電変換層の電界が小さくなってしまう。そのため、発生した電子とホールが再結合する確率が高くなり、光に比例した電流が流れなくなる。
【００５８】
図４（ｃ）に示すように、リフレッシュ動作は、光電変換素子に印加する電圧を光電変換モード時の印加電圧よりも小さくすることで、絶縁層と光電変換層の界面に蓄積したホールを吐き出すことができる。これにより、再び光出力に比例した電流を得ることができる。
【００５９】
空読み動作は、素子に蓄積した電荷をリセットする動作である。図２を用いて更に説明する。ＴＦＴ２７０２をＯＮした状態で信号線２７０５をリセットスイッチ２７０７によりリセットすることで行う。ＴＦＴのＯＮするタイミングは読み取り動作のように横１ラインを順次ＯＮしていく方法でおこなってもよいし、全ライン同時にＯＮしてもよい。
本実施例に用いる光電変換素子、装置は上述の構造以外でも構わない。例えばａ−Ｓｉやｐｏｌｙ−Ｓｉ上に実装されたＰＩＮ型構造の光電変換素子を用いて放射線センサ１０１を構成することにより、上述のリフレッシュ動作は不要となる。
【００６０】
またリフレッシュ動作は光電変換素子に蓄積した電荷を吐き出す動作であれば上述の方法以外でも構わない。
【００６１】
次に、図５、図６のフローチャート、図１３のタイミングチャートを用いて、第１の実施形態に係る放射線撮影システムの動作の一例を説明する。
【００６２】
まずは放射線撮影装置と放射線発生装置の組合せで撮影モードを設定登録する手順（Ｓ１０１からＳ１０２）を説明する。コンソール装置１３０を使用して撮影モードの登録を行う。
【００６３】
Ｓ１０１において、操作者はコンソール装置１３０の入力部１３１を使用し、放射線撮影装置の撮影モード（同期・非同期）を選択する。放射線撮影装置と放射線発生装置の組合せについても本ステップで設定を行う。
【００６４】
次に放射線撮影装置及び放射線発生装置に対して撮影条件を設定する手順Ｓ１０２について説明する。具体的には図６を用いて説明する。
【００６５】
本実施形態では、放射線発生装置のＩＤがＡ、放射線撮影装置のＩＤがαとなっている場合について述べる。また、放射線発生装置１２０とコンソール装置１３０が通信できる状態になっているものとする。
【００６６】
Ｓ１０２−１において、放射線撮影装置１００がコンソール装置１３０に接続しているか確認する。具体的には撮影制御部１３２と放射線制御部１０２間の通信の可否で判断を行う。接続していればＳ１０２−２へ、接続していなければＳ１０２−１へ戻る。
【００６７】
Ｓ１０２−２において、撮影制御部１３２は接続している放射線発生装置及び放射線撮影装置のＩＤを確認し、当該ＩＤに対応した撮影モードデータを記憶部１３４から読み取る。本実施例では放射線センサＩＤ；αと放射線発生装置ＩＤ：Ａは同期モードがＳ１０１で設定されている。そのため、本ステップにて撮影モードは同期モードが選択される。
【００６８】
Ｓ１０２−３において、撮影制御部１３２は通信回路１３２１によりＳ１０２−２で読み出した撮影モードを放射線センサ制御部１０２へ送信させる。図５に示す処理では  “同期モード”を示す信号を送信する。同期モードが設定されているため、放射線センサ制御部１０２と放射線制御部１２２間で同期通信回線１２５を用いた通信が行われる。
【００６９】
次に、放射線撮影条件を設定登録し、表示する手順（Ｓ１０３〜Ｓ１０５）を図５、図８、図９用いて説明する。
【００７０】
操作者はコンソール装置１３０の入力部１３１を使用し設定を行う。入力画面の例を図８に示す。図８は患者情報（氏名、生年月日、ＩＤ、性別）を入力するカラム１００１と、ＳＴＵＤＹ設定（撮影部位および撮影順設定）を入力するカラム１００２、設定を保存する保存ボタン１００４からなる。
【００７１】
図８に示した例では患者情報は以下のように設定されている。
【００７２】
氏名：Ｙａｍａｄａ  Ｔａｒｏ
生年月日：１９８１／４／８
ＩＤ：１２３４５６
性別：Ｍａｌｅ（男性）
またＳＴＵＤＹは以下のように設定されている。
【００７３】
１番目の撮影：ＡＢＤＯＭＥＮ
２番目の撮影：ＣＨＥＳＴ
設定終了時に保存ボタン１００４を選択するとステップＳ１０５に進む。
【００７４】
Ｓ１０５において撮影制御部１３２は、少なくとも１つの撮影情報と、該撮影情報に対応する放射線撮影装置から受信する放射線画像データと、を表示させるための検査画面（表示画面）を画像表示部１３３に表示させる。表示例を図９に示す。
【００７５】
図９はコンソール装置の画像表示部１３３に表示される検査画面である。検査画面７００は撮影可否を示すインジケータ７０１、同期・非同期を示すインジケータ７０２、これから撮影する部位を表示するインジケータ７０３、使用する放射線撮影装置を示すインジケータ７０４、被験者情報を示すインジケータ７０５、  ＳＴＵＤＹ情報及び撮影履歴を示すインジケータ７０６、撮影画像の画像処理を行うコントローラ７０７、検査の終了を指示するボタン７０８、検査の一時保留を指示するボタン７０９、撮影した画像を表示するウインドー７１０からなる。
【００７６】
図９では、撮影可否を示すインジケータ７０１は、放射線センサの暗電流が撮影可能なレベルまで小さくなっていないため「ＮｏｔＲｅａｄｙ」を示している。また、同期・非同期を示すインジケータ７０２に撮影モード「同期」を表示している。また、使用している放射線撮影装置を示すインジケータ７０４にセンサＩＤ  αを表示している。
【００７７】
比較のため非同期モードを選択した場合の表示例を図１６に示す。同期・非同期を示すインジケータ７０２の内容以外は画面構成が略同一であることが判る。
【００７８】
以上撮影条件として撮影モードの設定についてのみ述べてきた。実際の放射線撮影では、上記以外の設定が必要になることがある。例えば、放射線管電圧、放射線照射エリア指定、撮影時間などである。これらは放射線発生装置の照射条件設定Ｓ３０１にて設定すればよい。もしくはＳ１０３−２にて設定し、記憶部１３４に条件を保存し、撮影時に放射線センサ制御部１０２に設定する方法を用いてもよい。
【００７９】
次に、放射線撮影装置の起動の手順（Ｓ２０２からＳ２０３）について説明する。
【００８０】
スタート時、放射線センサ制御部１０２は起動し、放射線センサ制御部１０２及び通信回路１０２１にバッテリ２７１４からの電力が供給された状態となっている。次にＳ２０２で、放射線センサ制御部１０２は通信回路１３２１から受信した撮影モード情報に従い、放射線撮影装置１００の撮影モード情報を放射線センサ制御部１０２のメモリに保存する。本実施形態では撮影モード情報として同期モードを受信したものとする。
【００８１】
Ｓ２０３において、Ｓ２０２で読み取った撮影モードを元に同期・非同期の判定を行う。
撮影モードに同期が選択された場合はＳ２０４へ、非同期と選択された場合はＳ１２０４へ進む。本実施形態ではＳ２０２にて同期モードに設定されているためＳ２０４へ進む。
【００８２】
次に、放射線検査の開始手順（Ｓ１０６からＳ１０７、Ｓ２０４からＳ２０５）について、図５、図９、図１０を用いて説明する。
【００８３】
Ｓ１０６において、撮影制御部１３２はＳＴＵＤＹ情報を示すインジケータ７０６に表示されている撮影対象部位を示すボタンが入力部１３１を介して押下され、次の撮影に対応する撮影情報が指定されたかを判定する。ここでボタンが押下されていないと判定された場合には、ステップＳ１０５に進み上述の判定処理を繰り返す。一方で押下されたと判定された場合には、ステップＳ１０７に進む。
【００８４】
ステップＳ１０７で通信回路１３２１は、撮影制御部１３２による制御に応じて放射線撮影装置１００に対して撮影準備状態に遷移すべきことを示す信号を送信する。ステップＳ１０７は表示された撮影情報の１つが指定されることに応じて行われ、この信号は、放射線センサ１０１に電荷の出力を定期的に繰り返す初期化動作を実行させるための信号である。
【００８５】
その後撮影制御部１３２は放射線撮影装置１００からの応答信号に基づき、放射線撮影装置１００を検査に用いることが可能な状態にあるかを判定する。可能であると判定された場合には、撮影制御部１３２は検査画面の撮影可否を示すインジケータ７０１に「Ｒｅａｄｙ」を表示する。図１０に表示例を示す。この表示により操作者は撮影システムが撮影可能であることを理解することができる。
【００８６】
一方、検査に用いることが可能な状態にないと判定された場合には、撮影制御部１３２は検査画面の撮影可否を示すインジケータ７０１は「ＮｏｔＲｅａｄｙ」であるため、操作者に撮影システムが撮影不可能であることを示す。図９に表示例を示す。
【００８７】
Ｓ２０４にて、放射線センサ制御部１０２は通信回路１３２１から撮影準備状態に遷移すべき旨の信号（検査開始指示）を受信したか否かの判定処理を繰り返す。受信した場合にはＳ２０５へ進む。がなければＳ２０４へ戻る。
【００８８】
ステップＳ２０５で放射線センサ制御部１０２は放射線センサ１０１に対して通電開始を指示する。その後、放射線センサ１０１の無効電荷を吐き出すため、放射線センサ制御部１０２より初期化モード開始の指示を行う。初期化モードとは、前記したリフレッシュ駆動、空読み駆動、ＷＡＩＴ駆動からなる３つの駆動を繰り返し実施することを示す。空読み駆動時に光電子放出素子から放出する暗電流を信号線に設置した不図示の電流計で測定し、放射線制御部１０２にて暗電流状態を判定する。ここでは、暗電流状態の判定条件として、放射線撮影において光電変換した電流値と比較し小さい電流であれば撮影可能と判定し、それ以外の場合は、ＮｏｔＲｅａｄｙと判定した。判定した結果を放射線撮影装置１００の通信回路１０２１からコンソール装置１３０の通信回路１３２１に送信する。ここで撮影の準備が整ったと判定された場合にはその旨の信号を通信回路１０２１を通じてコンソール装置１３０に送信する。コンソール装置１３０の撮影制御部１３２はかかる信号に応じて表示画面に放射線撮影装置１００の撮影準備が完了したことを示す表示（ＲＥＡＤＹ表示）を表示させる。ＲＥＡＤＹ状態となった後も、かかる初期化動作を継続する。
【００８９】
上述したように、同期モードにおいては撮影情報の指定に応じて駆動を切り替えることにより、高画質を維持しつつ高速に放射線蓄積動作へ移行することができる。
【００９０】
次に、放射線を曝射し、放射線画像を形成する手順（Ｓ１０８からＳ１１１、Ｓ２０６からＳ２１２、Ｓ３０２からＳ３０３）について、図１、図５、図１１、図１２を用いて説明する。
【００９１】
Ｓ３０２において、操作者は、撮影可否を示すインジケータ７０１に「Ｒｅａｄｙ」が表示されていることを確認し、放射線発生装置の曝射スイッチ１２３を押下する。放射線制御部１２２は放射線センサ制御部１０２に曝射確認信号を送信する。ここで「Ｎｏｔ  Ｒｅａｄｙ」が表示されている状態、即ち放射線撮影装置１００の撮影準備が整っていない状態では、照射スイッチが押下されても放射線撮影装置１００の放射線センサ制御部１０２が照射許可信号を出力させない。これにより、放射線の照射ができないよう制御される。
【００９２】
Ｓ２０６において放射線センサ制御部１０２は照射スイッチの押下を判定する。照射スイッチが押下された場合、同期通信回線１２５を介して通信回路１０２１が照射を開始することの許可を要求する信号を受信する。放射線制御部１２２で許可要求信号が受信確認できた場合はＳ２０７へ進む。確認できなかった場合はＳ２０６へ戻る。
【００９３】
Ｓ２０７において放射線センサ制御部１０２は、放射線センサ１０１に対して、指定回数の暗電流除去駆動（リフレッシュ駆動、空読み駆動の繰り返し）を指示する。これは、
放射線センサが全面で均一に無効電荷を除去するための工夫である。例えば全素子が１回リフレッシュ駆動、空読み駆動するように設定する。指定回数の上記駆動が終了した後Ｓ２０８へ進む。
【００９４】
Ｓ２０８において、放射線センサ制御部１０２は放射線センサ１０１に対して、放射線蓄積動作（光電変換動作）を指示する。また、放射線制御部１０２は撮影制御部１３２へ撮影開始したことを送信する。以上の動作の後にＳ２０９へ進む。
【００９５】
撮影制御部１３２は放射線制御部１０２より受信した撮影開始を示す信号に基づき、検査画面の表示を行う。表示例を図１１に示す。（Ｓ１０８）
Ｓ２０９において、放射線センサ制御部１０２は放射線制御部１２２に対して放射線照射開始を指示する曝射許可信号を送信する。放射線制御部１２２は放射線センサ制御部１０２より受信した曝射許可信号を受信し、放射線の照射を開始する。（Ｓ３０３）
放射線センサ１０１は被写体を透過した放射線の検出を行う。その後、Ｓ２１０へ進む。
【００９６】
Ｓ２１０において、予め撮影条件として設定された放射線照射を終了した後、撮影制御部１３２は放射線制御部１２２へ照射停止を、放射線センサ制御部１０２へ蓄積終了を示す信号を送信する。
【００９７】
これにより、放射線管１２１は放射線照射を終了し、また放射線撮影装置１００は放射線検出を終了する。
【００９８】
Ｓ２１１において、放射線センサ制御部１０２は放射線センサ１０１に蓄積した電荷に基づく画像データを生成し、メモリ（不図示）に格納する。これにより、放射線撮影が終了する。放射線撮影装置が取得した画像データを撮影制御部１３２へ転送する。その後Ｓ２１２へ進む。
【００９９】
Ｓ２１２において、放射線センサ制御部１０２は放射線センサ１０１に対して初期化モードの指示を行う。このモードはＳ２０５で述べた駆動と同様である。ここでは、光電変換素子に蓄積した電荷及びホール電荷を除去し、次の撮影を準備するためである。本ステップが開始された後、Ｓ２０４へ進む。
【０１００】
また、放射線センサ制御部１０２は撮影制御部１３２に対して撮影不可であることを示す「Ｎｏｔ  Ｒｅａｄｙ」を送信する。
【０１０１】
Ｓ１０９において、撮影制御部１３２は受信した画像データを所望の画像処理を行う。
【０１０２】
Ｓ１１０において、撮影制御部１３２はＳ１０９にて処理した画像データを画像表示部１３３に表示する。また、放射線センサ制御部から送信された撮影可否状態をインジケータ７０１に表示する。また、画像データを記憶部１３４に保存する。
【０１０３】
表示例を図１２に示す。撮影画像が撮影画像表示ウインドー７１０に示している。また、撮影可否を示すインジケータ７０１に「Ｎｏｔ  Ｒｅａｄｙ」を示している。
【０１０４】
Ｓ１１１において撮影の継続を判定する。続けて撮影条件が設定されている場合はＳ１０５へ進む。撮影条件が設定されていない場合は撮影を終了する。
【０１０５】
次に図１３のタイミングチャートを用いて、放射線撮影装置１００の駆動について詳細に説明する。駆動は大別すると初期化モード、Ｒｅａｄｙモード、撮影モードの３つからなる。
ａ）は光電変換素子のＴＦＴと光電変換素子への電圧印加を示している。
ｂ）は放射線発生装置から放射線撮影装置へ送信する曝射確認信号を示している。
ｃ）は放射線照射状態を示している。
ｄ）は光電変換素子に流れる暗電流値を示している。
【０１０６】
まず初期化モードについて説明する。本駆動は図５のフローチャートでは、Ｓ２０５で行っている。光電変換素子のＴＦＴと光電変換素子に電圧を印加していない状態（Ｐｏｗｅｒ  Ｏｆｆ）から電圧を印加した状態（Ｐｏｗｅｒ  Ｏｎ）にする。ＴＦＴのＯＮ／ＯＦＦを減らし、光電変換素子の信頼性減少を防ぐため、前述のリフレッシュ動作と初期化動作、Ｗａｉｔ動作を順に行う。初期化モードを行うと光電変換素子に蓄積した無効電荷が徐々に減っていくことがわかる。
【０１０７】
次にＲｅａｄｙモードについて説明する。本駆動は図５のフローチャートでは、Ｓ２０７で行っている。
【０１０８】
本モードは、撮影制御部１３２から放射線センサ制御部１０２への検査開始指示により実行される。暗電流除去駆動を（リフレッシュ駆動、空読み駆動、Ｗａｉｔ駆動  ３つの駆動の繰り返し）から（リフレッシュ駆動、空読み駆動の繰り返し）に切り替えている。これは、上述したように操作者より放射線照射ボタンが押された後、高速に放射線蓄積動作へ移行するためである。
【０１０９】
放射線センサ制御部１０２が曝射確認信号を受信すると、指定回数の暗電流除去駆動（リフレッシュ駆動、空読み駆動の繰り返し）を行ったのち、撮影モードへ移行する。図１３では指定回数が２回の例を示している。
【０１１０】
次に撮影モードについて説明する。本駆動は図５のフローチャートでは、Ｓ２０８からＳ２１０で行われる。
【０１１１】
撮影モードは光電変換動作と読み取り動作の２つの動作がある。光電変換動作は、ＴＦＴをＯＦＦ、光電変換素子に電圧を印加した状態で、放射線が蛍光体で光に、光電変換素子で光を電荷として蓄積する動作である。読み取り動作は光電変換素子に蓄積した電荷取り出し、画素ごとに電荷量に相当する値を並べることで画像を得ることを示す。放射線曝射はこの光電変換動作時に行われる。
【０１１２】
図７に基づいてコンソール装置１３０に登録されている放射線撮影装置及び放射線発生装置の組み合わせについてについて、第一、第二のモードのいずれのモードが実行可能であるかを一覧表示させる撮影モード登録画面（その他の表示画面）について説明する。図７においてカラム２６０１は各放射線撮影装置固有のＩＤ、カラム２６０２は各放射線発生装置固有のＩＤ、カラム２６０３は撮影モードの設定状態を示す。カラム２６０３の各表示はＧＵＩ上のボタンとなっており、入力部１３１からの操作入力により撮影モードが切り替わる。「同期」という同期モードが選択されていることを示す表示がされている場合において、かかる表示をクリックすることにより「非同期」の表示に切り替わるとともに、撮影制御部１３２が対応する組み合わせに対して非同期モードを選択する。この画面では、放射線撮影装置が３台、放射線発生装置が２台ある場合を示している。各放射線撮影装置と各放射線発生装置の撮影モードをカラム２６０３に設定する。
【０１１３】
図７に示した例では、例えば、放射線センサＩＤ；αと放射線発生装置ＩＤ：Ａとは同期モードに設定されている。また、放射線センサＩＤ：αと放射線発生装置ＩＤ：Ｂとは非同期モードに設定されている。設定終了時に保存ボタン２６０４を選択すると、設定した撮影モードを記憶部１３４へ保存する。
【０１１４】
上述した表示画面では放射線撮影装置及び放射線発生装置の組み合わせについて実行可能なモードが表示されるが、放射線撮影装置に対して実行可能な撮影モードを表示させることとしてもよい。また上述した表示画面では実行可能な撮影モードが操作に応じて切り替え表示されるが、これに限らない。例えば実行可能な全てのモードを表示画面に並べて表示させるとともに、ユーザからの操作入力を入力部１３１で取得し、表示された１の撮影モードを撮影制御部１３２で選択するようにしてもよい。
【０１１５】
上述の表示画面において選択された撮影モードが図９等の検査画面において表示されることとなる。
【０１１６】
次に撮影モードとして非同期モードを選択した場合について説明する。放射線撮影システム構成は上述の図１に示す例と比べて、放射線発生装置ＩＤがＢ、放射線センサＩＤがβとなっている点、放射線撮影装置１００が放射線を検知したことをトリガーに撮影動作を開始する点が異なる。そのため、放射線発生装置１２０と放射線撮影装置１００の間の同期通信回線が設けられていない。
【０１１７】
図１５のフローチャートを参照して、非同期の場合の放射線撮影システムの動作の一例を説明する。
【０１１８】
撮影モードを選択あるいは設定登録する手順（Ｓ１０１からＳ１０２）は図５と同様であるため、ここでは説明を割愛する。
【０１１９】
次に、放射線撮影条件を設定登録し、表示する手順（Ｓ１０３〜Ｓ１１０５）について
説明する。Ｓ１０３は図３の場合と同様であるため、ここでは説明を割愛する。
【０１２０】
Ｓ１０４において、撮影制御部１３２は放射線センサ制御部１０２に対してポーリングを行い、放射線撮影装置の暗電流状態の確認を行う。暗電流が撮影可能なレベルまで小さくなっている場合はＲｅａｄｙ、それ以外の場合をＮｏｔＲｅａｄｙの状態を示す信号を、通信回路１３２１が受信する。
【０１２１】
Ｓ１１０５で撮影制御部１３２は画像表示部１３３に検査画面を表示する。また、通信回路１３２１は、検査画面が表示されることに応じて撮影準備状態に遷移すべきことを示す信号を送信する。かかる信号は放射線センサ１０１に放射線の照射を検知するための駆動を開始させるための信号であり、これに応じて放射線センサ制御部１０２は放射線センサ１０１及び電流計Ａの動作を開始させる。
【０１２２】
ここで第一のモードでは通信回路１３２１は撮影情報の指定に応じて撮影状態に遷移すべきことを示す信号を送信することとしていたのに対し、第二のモードでは検査画面の表示に応じてかかる信号を送信することとしている。第二のモードでは放射線センサ１０１は撮影準備状態において、状態を安定させ画質を向上させるだけではなく、放射線の検知も行う必要がある。そのため、第一のモードに比べて早い段階から放射線センサ１０１の準備動作を開始させることにより、撮影情報が指定され撮影がまさに開始される際には第一のモードと同様に速やかに撮影可能とすることができる。
【０１２３】
第二のモードが選択された場合の検査画面の表示例を図１６に示す。
【０１２４】
図３に示す動作との違いは、手動同期モード（第三のモード）に切り替えるインジケータ７１１（ボタン）が追加されていることである。ここで手動同期モードとは特定の操作入力に応じた時点から所定の時間が経過した後に前記放射線撮影装置に撮影動作を開始させる撮影モードである。
【０１２５】
手動同期モードは、検知回路による放射線の照射検知が難しいような低線量撮影、短時間照射の撮影の場合に、例えば非常用のモードとして操作者が放射線センサ１０１の蓄積状態に合わせて照射スイッチを押下し、放射線画像データを得るためのモードである。本実施例では、撮影制御部１３２は、同期モード（第一のモード）が選択されている場合には手動同期モード（第三のモード）を選択するためのボタンを表示させず、非同期モード（第二のモード）が選択された場合には当外ボタンを表示させることとしている。これにより、同期通信が可能な場合には第三のモードは不要と思われるためかかるボタンを表示させないこととし、検査画面をよりシンプルで把握しやすくする効果がある。一方で、かかる手動同期モードを選択するためのボタンは、第一のモードが選択されている場合にも検査画面（図９）に表示することとすれば、例えば同期通信回線に不安がある場合等の状況下でユーザの操作に応じて操作モードを切り替えることができるため有用である。
【０１２６】
撮影可否を示すインジケータ７０１は、放射線センサの暗電流が撮影可能なレベルまで小さくなっていないため「ＮｏｔＲｅａｄｙ」を示している。また、同期・非同期を示すインジケータ７０２に撮影モード「非同期」を表示している。また、使用している放射線撮影装置を示すインジケータ７０４にセンサＩＤ  βを表示している。
【０１２７】
インジケータ７１１（ボタン）が押下された場合には、撮影制御部１３２により第二のモード（非同期モード）から第三のモード（手動同期モード）に撮影モードが変更される。通信回路１３２１は撮影モード情報を放射線撮影装置１００に送信するとともに、入力部１３１に対する撮影動作を開始させる指示の入力に応じて所定期間待機した後撮影動作を開始させる第三のモードを実行するための信号を送信する。
【０１２８】
次に、放射線撮影装置の起動初期化の手順（Ｓ２０１からＳ２０３）について説明する。
【０１２９】
Ｓ２０１において、放射線センサ制御部１０２は放射線センサ１０１に対して通電開始を指示する。その後、放射線センサ１０１の無効電荷を吐き出すため、放射線センサ制御部１０２より初期化モード開始の指示を行う。初期化モードとは、前記したリフレッシュ駆動、空読み駆動、ＷＡＩＴ駆動からなる３つの駆動を繰り返し実施することを示す。空読み駆動時に光電子放出素子から放出する暗電流を信号線に設置した不図示の電流計で測定し、放射線制御部１０２にて暗電流状態を判定する。ここでは、暗電流状態の判定条件として、放射線撮影において光電変換した電流値と比較し小さい電流であれば撮影可能と判定し、それ以外の場合は、ＮｏｔＲｅａｄｙと判定した。判定した結果を放射線センサ制御部１０２から撮影制御部１３２へ送信する。
【０１３０】
これら駆動はＳ２０５まで継続実施する。また、暗電流状態判定はＳ２０４まで継続実施する。
【０１３１】
Ｓ２０２で放射線センサ制御部１０２は図３の例と同様に撮影モード設定を行う。放射線センサ制御部１０２は、受信した撮影モードの設定に従い、センサの撮影モード設定を行う。本動作では非同期モードの設定を行う。そのため、図３の例とは異なり、放射線センサ制御部１０２と放射線制御部１２２間の同期通信は行わない。
【０１３２】
Ｓ２０３で放射線センサ制御部１０２は撮影モードの判定を行う。本動作ではＳ２０２にて非同期モードに設定されているためＳ１２０４へ進む。同期モードが選択される場合については図３の例で述べた通りである。
【０１３３】
次に、放射線検査の開始手順（Ｓ１１０６、Ｓ１０６、Ｓ１０７、Ｓ１２０４、Ｓ１２０５）について、図１５、図１６、図１７を用いて説明する。
【０１３４】
Ｓ１０６において、撮影制御部１３２はＳＴＵＤＹ情報を示すインジケータ７０６に表示されている撮影対象部位を示すボタンが入力部１３１を介して押下され、次の撮影に対応する撮影情報の１つが指定されたかを判定する。ここでボタンが押下されていないと判定された場合には、ステップＳ１１０５に進み上述の判定処理を繰り返す。一方で押下されたと判定された場合には、ステップＳ１０７に進む。
【０１３５】
ステップＳ１０７で通信回路１３２１は、撮影制御部１３２による制御に応じて放射線撮影装置１００に対して放射線センサ制御部１０２による放射線検知の判定処理を実行させるための信号を送信する。ステップＳ１０７は表示された撮影情報の１つが指定されることに応じて行われる。
【０１３６】
ここでは、インジケータ７０２に「非同期」を表示する例を示したが、放射線が放射線センサに受光した時間を表示してもよい。
【０１３７】
Ｓ１２０４にて、放射線センサ制御部１０２は撮影制御部１３２より手動同期撮影を指示する信号を受信すればＳ２２０５へ進む。検査開始指示がなければＳ１２０５へ進む。
【０１３８】
Ｓ１２０５にて、放射線センサ制御部１０２はコンソール装置１３０より撮影状態に遷移すべきことを示す信号（検査開始の指示）を受信すればＳ１２０６へ進む。検査開始指示がなければＳ１２０５へ戻る。
【０１３９】
Ｓ１２０６にて、放射線センサ制御部１０２は暗電流除去駆動として、リフレッシュ駆動を所定回数行った後、空読み駆動の繰り返す駆動を開始し、Ｓ１２０７へ進む。上述したように、駆動方法を切り替えることにより、高画質を維持しつつ高速に放射線蓄積動作へ移行することができる。また、放射線センサ制御部１０２は暗電流除去駆動カウンターをスタートさせ、本駆動実施時間Ｔ１の計測を行う。本実施形態では撮影画像の品質を守るため、Ｔ１の最大時間を１０分とした。カウンターが１０分を経過した場合は、暗電流状態判定をＮｏｔＲｅａｄｙとし、Ｓ１２１２へ進む。本カウンターはＳ１２０７まで継続して実施する
次に、放射線を曝射し、放射線画像を形成する手順（Ｓ１２０７〜Ｓ１２１２、Ｓ１１０８〜Ｓ１１１、Ｓ３０２〜Ｓ３０３）について、図１４、図１５、図１８、図１９を用いて説明する。
【０１４０】
Ｓ１２０７において、放射線センサ制御部１０２は放射線センサ１０１で放射線を検知したかどうか判断する。放射線を検知した場合はＳ１２０８へ進む。放射線を検知できない場合はＳ１２０７へ戻る。
【０１４１】
Ｓ１２０８において、放射線センサ制御部１０２は、放射線センサ１０１に対して、電流除去駆動（空読み駆動）の停止を指示する。上記駆動が終了した後Ｓ１２０９へ進む。
【０１４２】
Ｓ１２０９において、放射線センサ制御部１０２は放射線センサ１０１に対して、放射線蓄積動作を指示する。放射線センサ１０１は被写体を透過した放射線検出を行う。また、放射線制御部１０２は撮影制御部１３２へ撮影開始したことを送信する。
【０１４３】
撮影制御部１３２は放射線制御部１０２より受信した撮影開始を示す信号に基づき、検査画面の表示を行う。表示例を図１８に示す。（Ｓ１１０８）
以上の動作の後、Ｓ２１０へ進む。
【０１４４】
Ｓ２１０において、予め撮影条件として設定された放射線照射を終了した後、撮影制御部１３２は放射線センサ制御部１０２へ蓄積終了を示す信号を送信する。これにより、放射線撮影装置１００は放射線検出を終了する。
【０１４５】
Ｓ２１１において、放射線センサ制御部１０２は、放射線センサ１０１で蓄積した電荷に基づく画像データを生成し、メモリ（不図示）に格納する。これにより、放射線撮影が終了する。放射線撮影装置が取得した画像データを撮影制御部１３２へ転送する。その後Ｓ２１２へ進む。
【０１４６】
Ｓ１２１２において、放射線センサ制御部１０２は放射線センサ１０１に対して初期化モードの指示を行う。このモード指示はＳ２０１で述べた駆動と同様である。ここでは、光電変換素子に蓄積した電荷及びホール電荷を除去し、次の撮影を準備するためである。またＳ２０１と同様に暗電流状態の判定を行う。これら駆動と暗電流状態判定はＳ１２０５まで継続実施する。本ステップが開始された後、Ｓ１２０５へ進む
また、放射線センサ制御部１０２は撮影制御部１３２に対して撮影不可であることを示す「ＮｏｔＲｅａｄｙ」を送信する。
【０１４７】
Ｓ１０９において、撮影制御部１３２は受信した画像データを所望の画像処理を行う。
【０１４８】
Ｓ１１１０において、撮影制御部１３２はＳ１０９にて処理した画像データを画像表示部１３３に表示する。また、放射線センサ制御部から送信された撮影可否状態をインジケータ７０１に表示する。また、画像データを記憶部１３４に保存する。
【０１４９】
表示例を図１９に示す。撮影画像が撮影画像表示ウインドー７１０に表示される。また、撮影可否を示すインジケータ７０１に「Ｎｏｔ  Ｒｅａｄｙ」を明示する。
【０１５０】
Ｓ１１１において撮影の継続を判定する。続けて撮影条件が設定されている場合はＳ１０４へ進む。撮影条件が設定されていない場合は撮影を終了する。
【０１５１】
次に図２０のタイミングチャートを用いて、放射線撮影装置１００の駆動について詳細に説明する。駆動は大別すると初期化モード、自動検知Ｒｅａｄｙモード、撮影モードの３つからなる。
ａ）は光電変換素子のＴＦＴと光電変換素子への電圧印加を示している。
ｂ）は放射線発生装置の曝射開始信号を示している。
ｃ）は放射線照射状態を示している。
ｄ）は光電変換素子に流れる暗電流値を示している。
【０１５２】
まず初期化モードについて説明する。本駆動は図１５のフローチャートでは、例えばＳＳ２０１で行われる。初期化モードの動作は図３の例と同様であるため、ここでは説明を割愛する。
【０１５３】
次に自動検知Ｒｅａｄｙモードについて説明する。本駆動は図１５のフローチャートでは、Ｓ１２０６からＳ１２０８で行われる。
【０１５４】
本モードは、撮影制御部１３２から放射線センサ制御部１０２への検査開始指示により実行される。暗電流除去駆動を（リフレッシュ駆動、空読み駆動、Ｗａｉｔ駆動  ３つの駆動の繰り返し）から（リフレッシュ駆動を１回行ったのち、空読み駆動を繰り返す）に切り替えている。これは、上述したように操作者より放射線撮影装置が放射線を検知した後、高速に放射線蓄積動作へ移行するためである。
【０１５５】
放射線センサ制御部１０２が曝射確認信号を受信すると、暗電流除去駆動を停止した後、撮影モードへ移行する。
【０１５６】
次に撮影モードについて説明する。本駆動は図１５のフローチャートでは、Ｓ１２０９からＳ１２１０で行われる。本駆動は図３の例と同様であるため説明を割愛する。
【０１５７】
以上のように、同期・非同期２つのモードを有する放射線撮影装置を使用しても、撮影モードが表示されるため、操作者は簡便に撮影条件を確認できる。また、条件を確認する撮影制御ディスプレイの表示がモードによらず略同一であるため、操作者はモードに関係なく同一の操作性を得ることができる
また放射線検知終了方法として、予め設定された時間で終了する方法を述べてきたが、これに限定されるものではない。放射線センサに入射する放射線量を計測し判定する方法がある。例えば、線量積算値が予め決められた閾値以上であれば終了する方法や、一定時間に入射する線量が予め決められた閾値以下となれば終了する方法などが挙げられる。
【０１５８】
次に本発明のその他の実施形態について説明する。
【０１５９】
その他の実施形態では、上述の例に加え撮影モードとして手動同期モードが選択可能となっている。手動同期モードでは、放射線照射量が少ない条件など実施形態２で説明した放射線自動検知が行えない時に行う緊急対策モードである。
【０１６０】
重複説明を避けるため上述の図３、図１５と異なる点について主に説明する。放射線撮影システム構成は図１４で示す構成と同様とすることができる。
【０１６１】
図２１のフローチャートを参照して、放射線撮影システムの動作の一例を説明する。
【０１６２】
Ｓ１０４において、撮影制御部１３２は放射線センサ制御部１０２に対してポーリングを行い、放射線撮影装置の暗電流状態の確認を行う。暗電流が撮影可能なレベルまで小さくなっている場合はＲｅａｄｙ、それ以外の場合をＮｏｔＲｅａｄｙの状態を示す信号を、通信回路１３２１が受信する。その後、Ｓ１１０５へ進む。
【０１６３】
Ｓ１１０６において、撮影制御部１３２は手動同期のインジケータ７１１が押下されたか判断する。押下されていなければＳ１０６に進む。押下されていればＳ２１０６へ進む。
【０１６４】
本実施例では押下された場合について説明する。撮影制御部１３２から放射線センサ制御部１０２へ手動同期撮影を指示する信号を送信する。
【０１６５】
Ｓ２１０６において、撮影制御部１３２は放射線撮影装置が検査できる状態にあるか判断する。Ｓ１０４にて取得したセンサの暗電流状態がＲｅａｄｙであれば、撮影可能と判断し、図１７の検査画面を表示する。この表示により操作者は撮影システムが撮影可能（また放射線曝射可能）であることを理解することができる。
【０１６６】
一方、センサの暗電流状態がＮｏｔＲｅａｄｙであれば撮影不可と判断しＳ１０４へ戻る。検査画面の撮影可否を示すインジケータ７０１は「ＮｏｔＲｅａｄｙ」であるため、操作者に撮影システムが撮影不可能であることを示す。図１６に表示例を示す。
【０１６７】
Ｓ２１０７において、操作者は撮影条件の設定を行う。
【０１６８】
条件設定の表示は例を図２２（ａ）に示す。
【０１６９】
撮影条件の設定は、撮影開始までの時間Ｔ１０と、撮影時間（曝射時間）Ｔ１１である。操作者が値を入力する。入力終了後、撮影開始インジケータを押下するとＳ２１０８へ進む。キャンセルを押下するとＳ１０４に戻る。
【０１７０】
Ｓ２１０８において撮影制御部１３２は放射線センサ制御部１０２へ蓄積開始予約信号を送信する。
【０１７１】
Ｓ１２０４にて、放射線センサ制御部１０２は撮影制御部１３２より手動同期撮影を指示する信号を受信すればＳ２２０５へ進む。
【０１７２】
Ｓ２２０５にて、放射線センサ制御部１０２は暗電流除去駆動を（リフレッシュ駆動、空読み駆動、Ｗａｉｔ駆動  ３つの駆動の繰り返し）から（リフレッシュ駆動後に、空読み駆動の繰り返し）に切替え、Ｓ２２０６へ進む。上述したように、駆動方法を切り替えることにより、高画質を維持しつつ高速に放射線蓄積動作へ移行することができる。
【０１７３】
Ｓ２２０６にて、放射線センサ制御部１０２は蓄積開始予約信号を受信したか判断する。受信した場合はＳ２２０７へ進む、受信できなかった場合はＳ２２０６へ戻る。
【０１７４】
受信開始予約信号には、撮影開始までの時間Ｔ１０と撮影時間（曝射時間）Ｔ１１が含まれている。
【０１７５】
Ｓ２２０７にて、放射線センサ制御部１０２は撮影制御部１３２受信通知信号を送信し、Ｓ２２０８へ進む。
【０１７６】
Ｓ２２０８にて、放射線センサ制御部１０２は放射線センサ１０１に対して、指定回数の暗電流除去駆動（リフレッシュ駆動、空読み駆動の繰り返し）を指示する。指定回数とは、前記Ｓ２２０６にて受信した撮影開始までの時間Ｔ１０分に相当する駆動を行うことを示す。上記処理終了後Ｓ２２０９へ進む。
【０１７７】
Ｓ２２０９にて、放射線センサ制御部１０２は放射線センサ１０１に対して、蓄積動作開始を指示する。また放射線センサ制御部１０２は蓄積動作カウンターを起動し、蓄積動作の継続時間を測定する。蓄積動作開始と同時にＳ２２１０へ進む。
【０１７８】
Ｓ２２１０にて、放射線センサ制御部１０２は撮影制御部１３２へ蓄積開始通知信号を送信する。蓄積動作カウンターが前記Ｓ２２０６にて受信した撮影時間（曝射時間）Ｔ１１以上になるとＳ２１０へ進む。
【０１７９】
Ｓ２１０において、撮影制御部１３２は放射線センサ制御部１０２へ蓄積終了を示す信号を送信する。これによりまた放射線撮影装置１００は放射線検出を終了する。
【０１８０】
Ｓ２１１において、放射線センサ制御部１０２は、放射線センサ１０１で蓄積した電荷に基づく画像データを生成し、メモリ（不図示）に格納する。これにより、放射線撮影が終了する。放射線撮影装置が取得した画像データを撮影制御部１３２へ転送する。その後Ｓ２１２へ進む。
【０１８１】
Ｓ２１２において、放射線センサ制御部１０２は放射線センサ１０１に対して初期化モードの指示を行う。このモード指示はＳ２０１で述べた駆動と同様である。ここでは、光電変換素子に蓄積した電荷及びホール電荷を除去し、次の撮影を準備するためである。またＳ２０１と同様に暗電流状態の判定を行う。これら駆動と暗電流状態判定はＳ２０５まで継続実施する。本ステップが開始された後、Ｓ１２０４へ進む
また、放射線センサ制御部１０２は撮影制御部１３２に対して撮影不可であることを示す「Ｎｏｔ  Ｒｅａｄｙ」を送信する。
【０１８２】
Ｓ２１０９において、撮影制御部１３２は放射線センサ制御部１０２より受信通知信号を受信し、Ｓ２１１０へ進む。
【０１８３】
Ｓ２１１０において、撮影開始までのカウントダウンを検査画面に表示する。表示例を図２２（ｂ）に示す。本例では、撮影開始（放射線曝射開始）までの時間が５秒であること示している。カウントダウンが進み０秒になると、Ｓ２１１１へ進む。
【０１８４】
Ｓ２１１１において、撮影制御部１３２は放射線センサ制御部１０２より蓄積開始通知信号受信する。受信後、Ｓ２１１２へ進む。
【０１８５】
Ｓ２１１２において、撮影制御部１３２は撮影開始（放射線照射開始）可能であることを検査画面に表示し、Ｓ２１１３へ進む。
【０１８６】
Ｓ２１１３において、撮影制御部１３２は撮影可能（放射線照射）  残り時間を検査画面にカウントダウン表示する。検査画面の例を図２２（ｃ）に示す。本例では、撮影可能な時間が、残り１秒であること示している。カウントダウン表示が０秒となった後、Ｓ１０９に進む。
【０１８７】
Ｓ１０９において、撮影制御部１３２は受信した画像データを所望の画像処理を行う。
【０１８８】
Ｓ１１１０において、撮影制御部１３２はＳ１０９にて処理した画像データを画像表示部１３３に表示する。また、放射線センサ制御部１０２から送信された撮影可否状態をインジケータ７０１に表示する。また、画像データを記憶部１３４に保存する。
【０１８９】
表示例を図１９に示す。撮影画像が撮影画像表示ウインドー７１０に明示する。また、撮影可否を示すインジケータ７０１に「Ｎｏｔ  Ｒｅａｄｙ」を明示する。
【０１９０】
Ｓ１１１において撮影の継続を判定する。続けて撮影条件が設定されている場合はＳ１０４（もしくはＳ１１０５）へ進む。撮影条件が設定されていない場合は撮影を終了する。
【０１９１】
図２２に基づいて待機時間及び蓄積時間の設定処理から照射可能表示までの処理の際に表示部２７０に表示される画面例を説明する。
【０１９２】
図２２（ａ）は画像表示部１３３の画面上に表示した設定画面の１例である。画面には、待機時間を表示するための表示領域２７０ａと、蓄積時間を表示するための表示領域２７０ｂとが表示されている。また表示領域２７０ａに表示されている待機時間を所定の単位だけ増加させるためのボタン２５０ａと、減少させるためのボタン２５０ｂと、表示領域２７０ｂに表示されている蓄積時間を所定の単位だけ減少させるためのボタン２５０ｃと、減少させるためのボタン２５０ｄとが表示される。これらボタンは操作部２５０を介して位置が制御されるカーソルと同じく操作部２５０の選択ボタンにより押下されることにより、表示領域２７０ａまたは２７０ｂに表示されている数値が変更されるよう表示制御部（撮影制御部１３２）が制御する。また撮影開始を指示するための撮影開始ボタン２５０ｅと、撮影の設定をキャンセルするキャンセルボタン２５０ｆが表示される。これらも、入力部１３１からの操作入力を介して押下される。キャンセルボタン２５０ｆが押下されることにより、表示制御部（撮影制御部１３２）は図２２（ａ）の表示を中止して例えば撮影予約の情報を表示する画面を表示させる。操作入力を介して撮影予約の情報から１つが選択されることにより、表示制御部は選択された撮影予約に対応する待機時間及び蓄積時間を設定するための図２２（ａ）の表示画面を再度表示させる。このように撮影を開始するまでの待機時間および蓄積時間を、それぞれ入力部１３１を介してＧＵＩ上で入力することができる。入力部１３１はキーボードでもよいし、音声入力などその他の操作部を用いることができる。
【０１９３】
図２２（ｂ）（ｃ）に基づいて画像表示部１３３でのカウントダウン表示の例を説明する。例えば画像表示部１３３として放射線画像を表示できるような大きい画面のディスプレイが用いられる場合には、カウントダウン中は、例えば図２２（ｂ）に示すように表示装置の画面上に撮影までの残り時間が表示される。また撮影前の状態である旨を「撮影準備中です」の表示で示している。同時に例えば不図示のスピーカなどから音声によってカウントダウンを合わせて行うことで、例えば画像表示部１３３が確認できない位置に操作者が移動する必要がある場合には有用である。また照射スイッチの１ｓｔスイッチのみ押下すべき旨の文字及びアイコンの表示を行うことで、無効曝射となる可能性を低減することができる。
【０１９４】
図１０（ｃ）の表示画面例では、放射線の照射が許可されている期間である旨を「撮影中です」の表示で示されている。また２ｎｄスイッチを押下すべき旨の文字表示及びアイコンにより、２ｎｄスイッチを押下すべきタイミングであることを知ることができる。また、撮影終了までの残り時間の表示により操作者は残りの照射可能期間を知ることができる。例えば残り時間が図１０（ｃ）のように短い場合には今回の放射線照射を諦め、再び撮影開始ボタン２５０ｅを押下して再度の蓄積開始を行なわせるなどの判断を行なうことができ、結果的に無効曝射の可能性を低減することができる。
【０１９５】
次に図２３のタイミングチャートを用いて、放射線撮影装置１００の駆動について詳細に説明する。駆動は大別すると初期化モード、手動同期Ｒｅａｄｙモード、撮影モードの３つからなる。
ａ）は光電変換素子のＴＦＴと光電変換素子への電圧印加を示している。
ｂ）は放射線発生装置から放射線撮影装置へ送信する曝射確認信号を示している。
ｃ）は放射線照射状態を示している。
ｄ）は光電変換素子に流れる暗電流値を示している。
【０１９６】
また、Ｓ２１０８で説明した撮影開始カウンター起動時間も記載している。
【０１９７】
まず初期化モードについては、上述の例と同様とすることができる。
【０１９８】
次に、手動同期Ｒｅａｄｙモードについて説明する。本駆動は図２１のフローチャートでは、Ｓ２２０５からＳ２２０８で行われる。上述の例との違いは、駆動開始の指示と、終了方法である。
【０１９９】
まず、駆動開始の指示は撮影制御部１３２から放射線センサ制御部１０２へ手動同期指示により実行される。暗電流除去駆動を（リフレッシュ駆動、空読み駆動、Ｗａｉｔ駆動  ３つの駆動の繰り返し）から（リフレッシュ駆動、空読み駆動の繰り返し）に切り替えている。これは、上述したように高速に放射線蓄積動作へ移行するためである。
本駆動は、Ｓ２２０６にて受信した「撮影開始までの時間Ｔ１０」間、本駆動を実施する。本駆動実施後、撮影モードに移る。
【０２００】
次に撮影モードについて説明する。本駆動は図２１のフローチャートでは、Ｓ２２０９からＳ２１０で行われる。
【０２０１】
上述の例との違いは、蓄積動作が放射線曝射をトリガーに動作を開始するわけではないことである。手動同期Ｒｅａｄｙモード終了後、放射センサ制御部１０２は放射線検出部に対して蓄積モードを実施するように指示する。操作者に対しては、撮影可能であることを検査画面にて示し、放射線曝射を実施する。
【０２０２】
放射線曝射できる時間は、前記した撮影時間（曝射時間）Ｔ１１で設定される。
【０２０３】
以上のように、同期・非同期（自動検知・手動同期）のモードを有する放射線撮影装置を使用しても、撮影モードが表示されるため、操作者は簡便に撮影条件を確認できる。また、条件を確認する撮影制御ディスプレイの表示がモードによらず略同一であるため、操作者はモードに関係なく同一の操作性を得ることができる
次に本発明のその他の実施形態について説明する。
【０２０４】
その他の実施形態では、上述の実施形態の１つに加えて、同期モードを選択したが、同期通信回線が不安定で使用できない場合の対策が講じられている。
【０２０５】
通信回線が不安定な場合の例の１つとして、通信回線に無線通信を利用した場合が挙げられる。別の無線通信機器が同一周波数帯で動作している場合、通信帯域が確保できず通信が不安定となってしまうことがある。また、電子レンジ・超音波洗浄機などが近傍で使用された場合、装置から漏れ出る電波が外来ノイズとなり通信が不安定となってしまうことがある。
【０２０６】
ここでは重複説明を避けるため、上述の実施形態と異なる点について説明する。
【０２０７】
システム構成は図１に示す構成と同じである。図２４を用いて上述の実施形態と動作が異なる部分のみ説明する。
【０２０８】
図２４は撮影の手順を示すフローチャートである。本手順は図６で示した手順の後に行われる。上述の実施形態と異なるのはＳ３００１である。
【０２０９】
Ｓ３００１について説明する。
【０２１０】
撮影制御部１０２が放射線制御部１２２との同期通信の通信状態を確認し、同期撮影可能か判定する判定部として機能する。通信品質の判定は、予め決められたデータ量が予め決められた時間内に送受信可能かで行う。具体的には、ＴＣＰ／ＩＰプロトコル上でＦＴＰ  （ＩＥＴＦ  ＲＦＣ  ９５９規定）ファイル転送を行い、転送時間で通信品質の良否を判定する。
【０２１１】
予め決められた時間内で転送できた場合はＳ２０４へ進み、同期モードを継続する。できなかった場合は通信品質が不良と判定して、Ｓ１２０４へ進み、非同期モードを実施する。
【０２１２】
以上の実施形態では、通信品質が不良の場合、同期モードであっても非同期モードに自動的に切り替わる場合について述べてきたが、これに限定されるものではない。撮影制御部１３２が通信品質の不良を検査画面（図９、図１０）において警告表示するだけでもよい。また、警告表示を行い、操作者にモード切替えを要求しても良い。
【０２１３】
判定部は同期通信回線１２５の通信状態を判定することができればよく、例えばコンソール装置１３０やコンソール装置１３０及び放射線撮影装置１００とは別の独立した装置、例えば同期通信回線１２５の中継装置としてもよい。
【０２１４】
以上のように、同期通信回線の品質を確認する手段を提供することにより、同期通信回線が不良の場合であっても非同期モードで撮影を継続することができる。このことにより操作者の作業負担を減らすことができる。
【０２１５】
その他、第一のモードと第二のモードとで、ステップＳ２１１における放射線撮影装置１００からコンソール装置１３０に送信される放射線画像データの送信方法を変更することができる。例えば、第一のモードでは、放射線撮影装置１００内の画像処理回路２７１３でダーク補正処理等の補正処理を行わない放射線画像データを通信回路１０２１が送信した後に、補正処理を行った後の放射線画像データを送信する。一方で第二のモードでは、ダーク補正処理等の補正処理を行わない放射線画像データを通信回路１０２１が送信しないよう放射線センサ制御部１０２が制御することとする。第二のモードでは放射線が放射線撮影装置に到達してから検知回路により検知されるまでの間の間隔に起因する画像のアーチファクトが存在する可能性がある。そこでかかるアーチファクトが残った画像を表示しないようにし、誤診断や誤った操作を引き起こしてしまう可能性を低減することができる。第二のモードでは、第二のモードである場合にのみ実行されるアーチファクト低減の画像処理が撮影制御部１３２により実行される。一方で第一のモードではかかるアーチファクトが存在しないため、ダーク補正処理前の放射線画像データを通信回路１０２１が送信し、撮影制御部１３２でダーク補正処理前の放射線画像データに対してダーク成分に起因するノイズを低減する画像処理を実行する。
【０２１６】
このようにすることで、アーチファクト画像が表示されてしまわないようにしつつ、撮影後より迅速に画像を表示することができる。
【０２１７】
なお、ダーク補正前の放射線画像データを第二のモードにおいても通信回路１０２１が送信してもよく、この場合に撮影制御部１３２は補正前の放射線画像データを画像表示部１３３に表示しないように制御する事も可能である。
【０２１８】
図２５に基づき、上述の実施形態に係る放射線撮影システムの装置構成例を説明する。
【０２１９】
図２５の放射線発生装置９１３は、図１、図１４の放射線発生装置１２０に対応する。また、図２５の放射線撮影装置３９１１は、図１、図１４の放射線撮影装置１００に対応する。図２５の画像処理装置３９２１は、図１、図１４のコンソール装置１３０に対応する構成である。その他、無線通信部３９１１ｂは図１、図１４の通信回路１０２１に、バッテリ３９１１ａは図３のバッテリ２７１４に、それぞれ対応する。
【０２２０】
放射線撮影室３９１０は、放射線曝射による放射線撮影を行う部屋である。制御室３９２０は、放射線撮影室３９１０の近傍に設置される部屋である。放射線撮影装置３９１１は、放射線に反応して放射線画像データを生成する。制御装置９１２は、放射線撮影装置３９１１から受信した放射線画像データを画像処理装置３９２１に対して送信するとともに、放射線発生装置９１３からの放射線の発生を制御する。なお、放射線発生装置９１３及び制御装置９１２は、複数存在してもよい。
【０２２１】
放射線撮影は、放射線撮影装置３９１１を架台や臥台に固定設置して行うことが一般的であるが、より自由度の高い放射線撮影を行うために、放射線撮影装置３９１１を機械的に固定せず、フリーポジション状態で撮影する場合がある。このようなニーズのために、最近では、放射線撮影装置３９１１と画像処理装置３９１２との間の接続を無線化し、放射線撮影装置３９１１の設置自由度を改良したタイプのデジタル放射線撮影システムも製品化されている。
【０２２２】
画像処理装置３９２１は、画像処理を行うＰＣ等の装置である。表示装置３９２２は、画像処理装置３９２１で画像処理が施された放射線画像データに基づく放射線画像を表示する。基幹ネットワーク３９２３は、画像処理装置３９２１を接続する院内ＬＡＮ等のネットワークである。アクセスポイント３９１５は、無線通信部３９１１ｂと対向して無線通信を行うとともに、制御装置３９１２や画像処理装置３９２１とも通信を行う。また、放射線撮影装置３９１１内には、バッテリ３９１１ａと、アクセスポイント３９１５とＩＥＥＥ８０２．１１規格等を用いた無線通信を行う無線通信部３９１１ｂとが必要となる。
【０２２３】
通信パラメータ送信装置３９１４は、無線通信部３９１１ｂと対向して無線通信を行うとともに、ＩＥＥＥ８０２．１１規格に必要な通信パラメータ（ＳＳＩＤやＰＳＫなど）を送信する。放射線撮影装置３９１１は、上記で受信した通信パラメータを無線通信部に設定を行いＩＥＥＥ８０２．１１規格の通信を開始する。
【０２２４】
放射線撮影装置３９１１は、バッテリ３９１１ａから供給される電力で動作する。また、搭載された無線通信部３９１１ｂとアクセスポイント３９１５との間で無線通信を行うことにより、撮影した放射線画像データの送信や制御情報の授受を行う。また、制御装置９１２とアクセスポイント３９１５は有線接続部３９１６を介して接続され、上記画像データや制御信号の送受信を行う。
【０２２５】
図２６に基づき上述の実施形態に係る放射線撮影装置１００及びコンソール装置１３０のハードウェア構成例を示す。上述の例と、同一の符番を付した構成については同様のユニットであり説明を省略することがある。
【０２２６】
センサ制御部２４０はＦＰＧＡ２４０１と、ＲＡＭ２４０２と、ＨＤＤ２４０３と、ＭＰＵ２４０４と、ＲＯＭ２４０５とを有する。ＦＰＧＡ２４０１は主に駆動回路２２０及び読出回路２３０の制御を実行する。ＭＰＵ２４０４は放射線撮影装置２００の動作を統合的に制御する回路であり、ＲＯＭ２４０５やＨＤＤ２４０３に記憶されたプログラムに含まれる命令を実行することにより、放射線撮影装置２００の各部を制御する。これにより上述の実施例にかかる処理が実現される。ＲＡＭ２４０２はＭＰＵ２４０４のワークメモリである。ＨＤＤ２４０３は各種の設定データを記憶するほか、ＯＳ２４３１とＯＳ２４３１上で動作するプログラム２４３２とを記憶する。プログラム２４３２は図１に示す各機能、図５、図１５または図２１のフローチャートに示される処理を実現するためのプログラムであり、ＭＰＵ２４０４に実行される。
【０２２７】
一方、撮影制御装置３００はＧＰＵ３００１と、ＲＡＭ３００２と、ＨＤＤ３００３と、ＣＰＵ３００４と、ＲＯＭ３００５と、を有する。ＣＰＵ３００４は撮影制御装置３００のハードウェア及びこれに接続されるユニットを統合的に制御する回路であり、ＲＯＭ３００５やＨＤＤ３００３に記憶されたプログラムに含まれる命令を実行することにより、撮影制御装置３００の各部を制御する。ＲＡＭ３００２はＣＰＵ３００４のワークメモリである。ＨＤＤ３００３は各種の設定データを記憶するほか、ＯＳ３０３１とＯＳ３０３１上で動作するプログラム３０３２とを記憶する。プログラム３０３２は図５、図１５または図２１のフローチャートに示される処理を実現するためのプログラムであり、ＣＰＵ３００４に実行される。ＧＰＵ３００１は主に画像処理を実行するための専用回路であり、ＣＰＵ３００４の指示に応じて受け取った画像データを処理する。
【０２２８】
ＦＰＧＡで実装された機能をＭＰＵ２４０４あるいはＣＰＵ３００４で実現する場合には、ＦＰＧＡの実装に用いられたハードウェア記述言語に対応するソフトウェアプログラムを用意する。このソフトウェアプログラムをプログラム２４３２あるいは３０３２としてＨＤＤ２４０３あるいは３００３に格納する。格納されたプログラムに含まれる命令をＭＰＵ２４０４あるいはＣＰＵ３００４（コンピュータ）により逐次または並列的に実行することによって、上述の図５、図１５、及び図２１のフローチャートに記載の処理が実現される。逆に、ＭＰＵやＣＰＵとプログラムで実装された機能をハードウェアで実装する場合には、当該プログラムに対応するハードウェア記述言語で記載されたプログラムを生成し、これからＦＰＧＡのコンフィギュレーションデータを得ることにより実装される。
【０２２９】
以上の実施形態では、検査画面（図９、図１０、図１１、図１２、図１６、図１７、図１８、図１９）にて表示するインジケータに文字を表示する場合について述べてきた。上記例ではインジケータ７０２に「同期」「非同期」の文字を表示し、インジケータ７１１には、「手動同期」の文字を表示する場合について述べてきた。しかし、これに限定されるものではなく識別できるものであればよい。上記と異なる文字を使用してもよいし、色を変更するだけでもよく、アイコン表示（形、色、点滅状態）など、何れであっても好適に実施される。
【０２３０】
上述の例では、撮影モードの選択を放射線撮影装置１００とは独立したコンソール装置１３０で行うこととしているが、これに限らない。例えば放射線撮影装置１００と着脱可能な表示端末で行うこととしてもよいし、放射線撮影装置１００及びコンソール装置１３０のいずれからも独立した第三の装置で行うこととしてもよい。
【０２３１】
なお上述の実施形態を適宜組み合わせた実施形態についても本発明の実施形態に含まれる。
【０２３２】
以上本発明の実施形態では、放射線撮影装置と放射線発生装置とが同期通信を行う「同期モード」と同期通信しない「非同期モード」を有する放射線撮影システムで、表示部に表示される表示を同様の表示としつつ、各撮影モードに対応する撮影を実行できる。一方で、撮影を実行し画像を表示するための検査画面に撮影モードを示す表示を表示することにより、撮影モードの違いを操作者に認識させることができるため、撮影モードによる違いを操作者に認識させることができる。
【図１】
2014195587.tif 000003
【図２】
2014195587.tif 000004
【図３】
2014195587.tif 000005
【図４】
2014195587.tif 000006
【図５】
2014195587.tif 000007
【図６】
2014195587.tif 000008
【図７】
2014195587.tif 000009
【図８】
2014195587.tif 000010
【図９】
2014195587.tif 000011
【図１０】
2014195587.tif 000012
【図１１】
2014195587.tif 000013
【図１２】
2014195587.tif 000014
【図１３】
2014195587.tif 000015
【図１４】
2014195587.tif 000016
【図１５】
2014195587.tif 000017
【図１６】
2014195587.tif 000018
【図１７】
2014195587.tif 000019
【図１８】
2014195587.tif 000020
【図１９】
2014195587.tif 000021
【図２０】
2014195587.tif 000022
【図２１】
2014195587.tif 000023
【図２２】
2014195587.tif 000024
【図２３】
2014195587.tif 000025
【図２４】
2014195587.tif 000026
【図２５】
2014195587.tif 000027
【図２６】
2014195587.tif 000028